(57)【要約】【課題】色温度の設定を変更しても容易に元の照明点灯状態に戻すことが可能な照明制御システムを提供することである。【解決手段】照明点灯状態を可変できる照明器具１１と、照明器具１１の照明点灯状態を設定するための操作器（リモコン１４）と、照明器具１１の照明点灯状態の履歴データを記憶するメモリ１７と、操作器（リモコン１４）からの照明点灯の設定指令に基づき照明器具１１の照明点灯を制御し、照明点灯の履歴データをメモリ１７に記憶させるとともに、操作器（リモコン１４）からの巻き戻し指令に基づきメモリ１７に記憶された履歴データを巻き戻し所望の照明点灯状態を選択して再生する制御部１６とを備える。【選択図】  図１
2010225398.tif 000002
【特許請求の範囲】
【請求項１】
照明点灯状態を可変できる照明器具と；
前記照明器具の照明点灯状態を設定するための操作器と；
前記照明器具の照明点灯状態の履歴データを記憶するメモリと；
前記操作器からの照明点灯の設定指令に基づき照明器具の照明点灯を制御し照明点灯の履歴データを前記メモリに記憶させるとともに、前記操作器からの巻き戻し指令に基づき前記メモリに記憶された履歴データを巻き戻し所望の照明点灯状態を選択して再生する制御部と；
を備えたことを特徴とする照明制御システム。
【請求項２】
前記制御部は、前記操作器からの巻き戻し指令に基づき前記メモリに記憶された履歴データを巻き戻し所望の照明点灯状態を選択して再生する際に、再生後の所定時間の経過後に再生した照明点灯状態を新たな履歴データとして前記メモリに記憶することを特徴とする請求項１記載の照明制御システム。
【発明の詳細な説明】
【技術分野】
【０００１】
本発明は調光可能な照明器具を制御する照明制御システムに関する。
【背景技術】
【０００２】
個人の家庭用の照明器具やビルの照明器具では調光操作ができるものが多くなっている。また、光源として発光ダイオードを用いた場合には、異なる発光色の発光ダイオードを調光することによって演出効果を高めることが可能となっている。
【０００３】
演出効果を高めたものとしては、互いに発光色が異なる複数の発光ダイオードを照明装置本体に対して回転自在に設けられた回転台に装着し、回転台の回転角度に応じて各々の発光ダイオードの光出力が非同期に変化するように回転角度に対する各発光ダイオードの光出力を設定し、小型で簡単に発光色を変化させることができるようにしたものがある（例えば、特許文献１参照）。
【０００４】
また、使用頻度の多い複数の照明シーンを予め記憶しておき、操作スイッチにより複数の照明シーンのいずれかを選択して、使用頻度の多い照明シーンを誰にでも容易に操作できるようにしたものがある（例えば、特許文献２参照）。
【先行技術文献】
【特許文献】
【０００５】
【特許文献１】特開２００７−２００７２３号公報
【特許文献２】特開平１０−６４６８４号公報
【発明の概要】
【発明が解決しようとする課題】
【０００６】
しかし、特許文献１のものでは、回転台の回転角度に応じて各々の発光ダイオードの光出力を予め設定しているので、一度色温度の設定をしてしまうと、その変更が困難なものである。また、特許文献２のものにおいても、予め記憶した照明シーンの選択は容易に行えるが、それ以外の照明シーンについては、元の状態に戻すことが困難である。
【０００７】
本発明の目的は、色温度の設定を変更しても容易に元の照明点灯状態に戻すことが可能な照明制御システムを提供することである。
【課題を解決するための手段】
【０００８】
請求項１の発明に係わる照明制御システムは、照明点灯状態を可変できる照明器具と；前記照明器具の照明点灯状態を設定するための操作器と；前記照明器具の照明点灯状態の履歴データを記憶するメモリと；前記操作器からの照明点灯の設定指令に基づき照明器具の照明点灯を制御し照明点灯の履歴データを前記メモリに記憶させるとともに、前記操作器からの巻き戻し指令に基づき前記メモリに記憶された履歴データを巻き戻し所望の照明点灯状態を選択して再生する制御部と；を備えたことを特徴とする。
【０００９】
本発明及び以下の発明において、特に指定しない限り用語の定義及び技術的意味は以下による。
【００１０】
照明器具は、光源の照明点灯状態を可変できる照明器具である。例えば、光源として発光ダイオードを使用した場合には、明るさだけでなく色温度も可変にできる照明器具である。個人の家庭用の照明器具、ビルの照明器具、演出用の照明器具を含む。
【００１１】
操作器とは、照明器具の照明点灯状態を設定操作する器具であり、例えば、リモコンや壁スイッチである。リモコンの場合には、無線による信号の授受が行われるので、照明器具及びリモコンに送受信器が設置される。壁スイッチの場合は、有線の信号線で接続することになる。
【００１２】
照明器具の照明点灯状態の履歴データは、操作器によって変更された照明点灯状態の時系列データである。例えば、明るさや色温度が異なる照明点灯状態が時系列的にＡ１、Ａ２、…Ａｎと変化した場合に、Ａ１、Ａ２、…Ａｎをメモリに記憶する。
【００１３】
制御部は、例えばマイクロコンピュータで構成され、照明器具の照明点灯を制御するものである。操作器からの照明点灯の設定指令とは、照明器具の光源の明るさや色温度を設定するための指令であり、照明器具の照明点灯状態は、この設定指令により決定される。
【００１４】
「メモリに記憶された履歴データを巻き戻す」とは、例えば、現在の照明点灯状態がＡｎである場合に、照明器具の点灯状態を、それ以前のＡｎ−１〜Ａ１の照明点灯状態に順次することを言う。順次過去の照明点灯状態に戻す過程において、所望の照明点灯状態となったときは、操作器で巻き戻しを停止し、その照明点灯状態を選択し再生する。これにより、照明器具は、その選択された照明点灯状態が新たな照明点灯状態としてメモリに記憶される。
【００１５】
請求項２の発明に係わる照明制御システムは、請求項１の発明において、前記制御部は、前記操作器からの巻き戻し指令に基づき前記メモリに記憶された履歴データを巻き戻し所望の照明点灯状態を選択して再生する際に、再生後の所定時間の経過後に再生した照明点灯状態を新たな履歴データとして前記メモリに記憶することを特徴とする。
【００１６】
本発明は、請求項１の発明に対し、過去の照明点灯状態を選択して再生した後の所定時間の経過後に、その再生した照明点灯状態を新たな履歴データとしてメモリに記憶するようにしたものである。
【００１７】
所定時間は、一時的に変更した照明点灯状態ではなく、再生した過去の照明点灯状態を通常の照明点灯して継続したと判断できる程度の時間に設定される。
【発明の効果】
【００１８】
請求項１の発明によれば、操作器からの巻き戻し指令に基づきメモリに記憶された履歴データを巻き戻して、過去の照明点灯状態を再現し、その中から所望の照明点灯状態を選択して再生できるので、明るさや色温度の設定を変更しても、過去の照明点灯状態に容易に戻すことができる。
【００１９】
請求項２の発明によれば、過去の照明点灯状態を選択して再生した後の所定時間の経過後に、その再生した照明点灯状態を新たな履歴データとしてメモリに記憶するので、一時的に変更した照明点灯状態を新たな履歴データとしてメモリに記憶することがなくなる。従って、無駄な履歴データを記憶することが防止できる。
【図面の簡単な説明】
【００２０】
【図１】本発明の実施の形態に係わる照明制御システムの一例の構成図。
【図２】本発明の実施の形態における操作器の巻き戻し機能により過去の照明点灯状態を再現する際のタイムチャート。
【図３】本発明の実施の形態に係わる照明制御システムの他の一例の構成図。
【発明を実施するための形態】
【００２１】
以下、本発明の実施の形態を説明する。図１は本発明の実施の形態に係わる照明制御システムの一例の構成図である。照明器具１１の照明器具本体１２には光源部１３が設けられ、図示省略の点灯装置により光源部１３が点灯される。光源部１３は、例えば、Ｒ（赤色）、Ｇ（緑色）、Ｂ（青色）の発光ダイオードから構成され、明るさだけでなく色温度を調整可能な光源部である。光源部１３の点消灯は、操作器であるリモコン１４からの指令により行われる。
【００２２】
照明器具本体１２には、リモコン１４と信号の送受信を行う送受信器１５が設けられており、送受信器１５はリモコン１４からの指令を受信すると、制御部１６に受信した指令を出力する。すなわち、リモコン１４は、照明器具１１の光源部１３の照明点灯状態を設定するものであり、光源部１３の明るさや色温度を設定した設定指令が出力される。送受信器１５はリモコン１４からの照明点灯の設定指令を受信すると、受信した旨をリモコン１４に送信するとともに、制御部１６に受信した照明点灯の設定指令を出力する。
【００２３】
制御部１６は、リモコン１４からの照明点灯の設定指令に基づき、図示省略の点灯装置を駆動制御して、照明器具１１の光源部１３を照明点灯するとともに、そのときの照明点灯状態を照明点灯の履歴データとしてメモリ１７に記憶させる。例えば、現在の照明点灯状態がＡｎである場合には、過去の照明器具の照明点灯状態Ａ１〜Ａｎ−１を含めて時系列の照明点灯状態Ａ１〜Ａｎが記憶される。
【００２４】
次に、リモコン１４は、メモリ１７に記憶された履歴データを巻き戻す機能を有しており、過去の照明点灯状態を再現する際には、巻き戻し機能を選択して照明点灯の設定指令を設定することになる。例えば、リモコン１４から巻き戻し指令を出力したとすると、送受信器１５はリモコン１４からの巻き戻し指令を受信し、受信した旨をリモコン１４に送信するとともに、制御部１６に受信した巻き戻し指令を出力する。
【００２５】
制御部１６は、リモコン１４からの巻き戻し指令に基づき、メモリ１７に記憶された履歴データの照明点灯状態Ａｎ−１〜Ａ１を順次取り出し、図示省略の点灯装置を駆動制御して、光源部１３に照明点灯状態Ａｎ−１〜Ａ１を再現する。そして、光源部１３の点灯状態が所望の照明点灯状態Ａｉとなったときは、操作器で巻き戻しを停止し、その照明点灯状態Ａｉが所望の点灯状態であるかどうかを確認し、所望の点灯状態であるときは、その照明点灯状態Ａｉを選択して再生する。
【００２６】
図２は、操作器（リモコン１４）の巻き戻し機能により過去の照明点灯状態を再現する際のタイムチャートである。いま、時点ｔ１において、現在の点灯状態からメモリ１７に記憶された過去の照明点灯状態にいずれかに変更すべく、リモコン１４の巻き戻し機能を起動したとする。リモコン１４から巻き戻し指令があると、制御部１６は、メモリ１４に記憶された照明点灯状態Ａｎ−１〜Ａ１の履歴データを読み出し、光源部１３に照明点灯状態Ａｎ−１〜Ａ１を順次再現していく。照明器具１１の利用者は、照明器具１１の照明点灯状態を見ながら、所望の照明点灯状態となったときに、巻き戻し機能を停止する（時点ｔ２）。その照明点灯状態が所望の点灯状態であるかどうかを確認し、所望の点灯状態であるときは、その照明点灯状態を選択して再生する（時点ｔ３）。そして、再生してから所定時間Δｔの経過後に、その再生した照明点灯状態を新たな履歴データとしてメモリ１７に記憶する。これは、一時的に変更した照明点灯状態を新たな履歴データとしてメモリ１７に記憶することを防止し、無駄な履歴データをメモリ１７に記憶しないようにするためである。
【００２７】
以上の説明では、操作器としてリモコン１４を用いた場合について説明したが、図３に示すように、リモコン１４に代えて壁スイッチ１８を操作器として使用することも可能である。壁スイッチ１８を操作器として使用した場合には、壁スイッチ１８は制御部１６と信号線１９と接続されることになるので、信号送受信器１５は不要となる。
【００２８】
また、以上の説明では、メモリ１７は照明器具本体１２に設けた場合について説明したが操作器（リモコン１４、壁スイッチ１８）に設けるようにしてもよい。リモコン１４にメモリ１７を設けた場合には、同種の別の照明器具１１に対しても、メモリ１７に記憶した照明点灯状態で点灯可能となる。
【００２９】
また、以上の説明では、照明器具１１が１個の場合について説明したが、複数個の照明器具１１であってもよい。さらに、ビルに設けられる照明器具１１では、主操作盤からの指令により、グループを形成した複数個の照明器具１１に対して、グループ単位で照明点灯を制御しているが、その主操作盤にメモリを設けてもよい。また、操作器の操作機能として、「巻き戻し」、「再生」「停止」に加え、「早送り」を設けるようにしてもよい。
【００３０】
本発明の実施の形態によれば、メモリ１７に明るさや色温度が異なる過去の照明点灯状態の履歴データを記憶しているので、照明器具１１の利用者は操作器を用いてメモリ１７から過去の照明点灯状態の履歴データを操作し、所望の照明点灯状態を選択できる。これにより、実際の照明状態を利用者が閲覧しながら、気に入った照明状態を探し出し、利用したい過去の照明点灯状態を再生できる。
【符号の説明】
【００３１】
１１…照明器具、１２…照明器具本体、１３…光源部、１４…リモコン、１５…送受信器、１６…制御部、１７…メモリ、１８…壁スイッチ、１９…信号線
【図１】
2010225398.tif 000003
【図２】
2010225398.tif 000004
【図３】
2010225398.tif 000005